(57)【特許請求の範囲】
【請求項１】
扉に取り付けられる錠箱内に、錠箱のフロント板から突出する方向に付勢されたラッチボルトと、操作部材で作動され、ラッチボルトを錠箱内に引き込ませるリトラクタとを設けて成る錠装置において、錠箱内のラッチボルトの近傍に該ラッチボルトに選択的に係合させるために揺動可能に枢支すると共に、非係合位置側に向け付勢させたロッキングレバーと、錠箱内のフロント板の近傍に水平方向に変位可能に設けられ、前端に第１磁石手段を有すると共に、後端をロッキングレバーに連係させた押し部材と、閉扉時前記第１磁石手段が整合する扉枠の部位に装着され、施錠時において第１磁石手段と同磁極で対向する第２磁石手段と、錠箱内に回動自在に支承されたカム部片に対し扉の室内側及び室外側においてそれぞれ連係されるサムターン及びシリンダ錠と、サムターン又はシリンダ錠の回動操作により前記カム部片を介して解錠位置と施錠位置との間を変位できるように案内され、解錠位置でロッキングレバーをラッチボルトに対して非係合状態で拘束できるようにした作動部材とを備えたことを特徴とする錠装置。
【発明の詳細な説明】
【０００１】
【発明の属する技術分野】
この発明は、２つの磁石手段を用いた新規な扉の錠装置に関する。
【０００２】
【従来の技術】
扉に取り付けられる錠箱内に操作部材で作動されるリトラクタ、リトラクタで後方に引き込ませることができるようにしたスライダ、及びスライダに対し相対的に変位できるように連結され、錠箱のフロント板から突出する方向に付勢させたラッチボルトを設けて成る錠装置、あるいはラッチボルトを直接錠箱内に引込ませるようにした錠装置は、仮締り錠（空錠）として従来より周知のものであり、前者は例えば特公平２―５７６３７号公報等に示されている。
【０００３】
【発明が解決しようとする課題】
この発明は、前記の従来装置に対をなす磁石手段及び所要の部材を付加して、ラッチボルトにデッドボルトを兼用させるようにした新規な錠装置を提供することを目的としている。
【０００４】
また、この発明では、錠の使い勝手、すなわち使い易さの向上を図ることも他の目的としている。
【０００５】
【課題を解決するための手段】
上記の目的を達成するため、この発明は、錠箱のフロント板から突出する方向に付勢されたラッチボルトと、操作部材で作動され、ラッチボルトを錠箱内に引き込ませるリトラクタとを設けて成る錠装置において、錠箱内のラッチボルトの近傍に該ラッチボルトに選択的に係合させるために揺動可能に枢支すると共に、非係合位置側に向け付勢させたロッキングレバーと、錠箱内のフロント板の近傍に水平方向に変位可能に設けられ、前端に第１磁石手段を有すると共に、後端をロッキングレバーに連係させた押し部材と、閉扉時前記第１磁石手段が整合する扉枠の部位に装着され、施錠時において第１磁石手段と同磁極で対向する第２磁石手段と、錠箱内に回動自在に支承されたカム部片に対し扉の室内側及び室外側においてそれぞれ連係されるサムターン及びシリンダ錠と、サムターン又はシリンダ錠の回動操作により前記カム部片を介して解錠位置と施錠位置との間を変位できるように案内され、解錠位置でロッキングレバーをラッチボルトに対して非係合状態で拘束できるようにした作動部材とを備えたことを特徴とする。
【０００６】
【発明の実施の形態】
以下、図面に示す実施例に基いてこの発明について説明する。
図１〜図３はこの発明の第１実施例の錠装置を示しており、図４はこの発明の第２実施例の錠装置における対をなす磁石手段を部分的に示している。
【０００７】
図１〜図３に示す第１実施例において、１０は扉、２０は扉枠、１は扉１０に取り付けられた錠箱、２は扉枠２０に取付けられたストライク板、２１はストライク板２に設けられた後記のラッチボルト３６の係入口、２２はストライク板２のトロヨケをそれぞれ示している。
【０００８】
前記の錠箱１内には、レバーハンドル等の操作部材（図示しない）の角軸に固定され、その操作部材で回転作動される例えば側面がＴ字状をなすリトラクタ３１、板材を折り曲げて形成され、適当な案内手段３２、３２ａで前後方向に案内されるようにすると共に、前記のリトラクタ３１で戻しばね３３に抗して後方に引き込ませることができるようにしたスライダ３４が設けられている。
【０００９】
このスライダ３４及びフロント板１１の間に跨がるようにして、スライダ３４に対し前後方向に相対的に変位できるように連結され、ラッチばね３５により錠箱１のフロント板１１から突出する方向に付勢させた、先端に案内斜面を有するラッチボルト３６が設けてあり、これら部材のは、従来周知の仮締り錠（空錠）としての錠装置を構成している。
【００１０】
本発明の錠装置においては、以下に順次説明するロッキングレバー４、押し部材５、第１磁石手段６１、第２磁石手段６２、カム部片７及び作動部材８等の所要部材が公知の仮締りとしての錠装置に付加されている。
【００１１】
錠箱１内のラッチボルト３６の近傍には、該ラッチボルト３６の例えばフランジ状をなす顎部３６ａに選択的に係合できるようにした例えば略Ｖ字状をなすロッキングレバー４が水平軸４１で枢支してあり、このロッキングレバー４はその一端４ａがラッチボルト３６に対して非係合位置に向かうようにねじりばね等のレバーばね４２によって付勢させてある。
【００１２】
また、錠箱１内のフロント板１１の近傍には、前方の取付板５１と後方の棒体５２とから成る押し部材５が適当な案内手段５３により案内されて水平方向に変位可能に設けられており、押し部材５の前部を構成する取付板５１上には第１磁石手段６１としての永久磁石が固設してある。
【００１３】
また、押し部材５の後部を構成する棒体５２の後端には前記ロッキングレバー４の他端部４ｂに一体に又は別体として固設した受け片４３が当接させてあり、もって、押し部材５の後端とロッキングレバー４の後端４ｂとの間は可動に連係させてある。
【００１４】
前記の案内手段５３は、例えば図示例のように、フロント板１１の裏板１２に固設した箱形の案内枠とするとよい。この例において、押し部材５の取付板５１は第１磁石手段６１と共に案内枠５３内を水平方向に移動できるようにしてあり、棒体５２は案内枠５３の底板を可動に貫通させてある。
【００１５】
他方、第２磁石手段６２は、永久磁石又は電磁石とすることができ、閉扉時前記第１磁石手段６１が整合する扉枠２０の部位、例えば、その部位に相当するストライク板２の背面付近に装着してある。
【００１６】
また、その第２磁石手段６２は、施錠時において、換言すれば、ラッチボルト３６をデッドボルトとして作用させる時には、第１磁石手段６１と同磁極で対向させるようにしてある。
【００１７】
更に、錠箱１内の例えば上方位置にはカム部片７を回動自在に支承させ、このカム部片７に対しては、扉１０の室内側及び室外側においてサムターン及びシリンダ錠（いずれも図示しない）がそれぞれ連係してある。
【００１８】
カム部片７、サムターン及びシリンダ錠からなるダルマアッセンブリーは、デッドボルトを作動させるための周知の本締り錠におけるそれと同等の構成であるかた、ここでは更なる説明は省略する。
【００１９】
前記のサムターン又はシリンダ錠に差し込んだ鍵を回動操作することにより、前記のカム部片７を介し、例えば長方形状をなす板材から成る作動部材８が解錠位置（図１の位置）と施錠位置（図２の位置）との間で水平に摺動されるように備えられている。
【００２０】
カム部片７と作動部材８との間の関連構成について述べれば、カム部片７の半径方向に延出させた突片上のピン７１が作動部材８に形成したＶ字状をなす従動切欠８１に可動な状態で係合させてあり、この構成により、カム部片７の回動に伴って作動部材８が水平方向に移動されることになる。
【００２１】
また、作動部材８の錠箱１に対する水平方向の案内は、図示例のピン長孔の組で成る案内手段８２その他の任意の案内手段で行うことができる。
【００２２】
なお、図示例の案内手段８２は作動部材８のストロークの両端におけるストッパ手段を兼ねているが、作動部材８のストッパ手段及び案内手段は格別に設けてもよいことは言うまでもない。
【００２３】
前記のような作動部材８は、それが解錠位置（図１参照）を占めている時、ロッキングレバー４の他端４ｂを押し部材５を受けとしてフロント板１１に近づく方向に押さえつけ、ロッキングレバー４の一端４ａのラッチボルト３６における顎部３６ａに対する後方からの係合が不能となるようにしてある。
【００２４】
また、作動部材８が施錠位置（図２参照）を占めている時は、その作動部材８がロッキングレバー４のラッチボルト３６に対する係合可能な位置に至る間の揺動の邪魔にならない位置に後退していることになるので、ロッキングレバー４の一端４ａはラッチボルト３６に対する係合のための揺動が可能となり、閉扉状態においては、ラッチボルト３６の引込みを阻止し、この錠装置を本締りとしての施錠状態に保持させることになる。
【００２５】
次に、上述した本発明に係る第１実施例の作用について説明する。
図１では、作動部材８はサムターンはシリンダ錠により前方の解錠位置に進出させてあり、この状態ではロッキングレバー４の他端４ｂが作動部材８の前端に衝接している。
【００２６】
その為、ロッキングレバー４は図１で右回りの揺動が不能であって、扉１０が閉鎖されることにより、第１及び第２磁石手段６１、６２間に同磁極による磁気反発力が生じても、押し部材５によってロッキングレバー４を係合方向である右回りに揺動させることができないので、ラッチボルト３６は仮締りとしての作用のみを呈する。
【００２７】
換言すれば、図１の状態では、本締りとしての作用を呈するための機構の一部である、ロッキングレバー４、押し部材５及び第１磁石手段６１が不動に拘束されているので、この錠装置は仮締り錠（空錠）として作動する。
【００２８】
本装置における仮締り錠（空錠）としての作用は、従来の空錠とは何ら変わることがなく、レバーハンドル等の操作部材の回動や押し引きにより扉１０は自由に開閉することができる。
【００２９】
一方、図１の解錠状態を切り換えて、ラッチボルト３６を突出状態で拘束しそのラッチヘッドをストライク板２に係入させたままの施錠状態とするためには、サムターン又はシリンダ錠に差し込んだ鍵でカム部片７を図１で左回り（反時計方向）に回動させ、作動部材８を図１の矢印Ａで示すように後退させる。
【００３０】
作動部材８が図２に示すように施錠位置に後退変位すると、該作動部材８によって右回りの揺動が拘束阻止されていたロッキングレバー４は、その拘束が解かれるので、扉１０が閉鎖されている関係で近接状態にある第１及び第２磁石手段６１、６２、は同磁極による反発力で押し部材５を内方（図２で右方）に向け変位させる。
【００３１】
そして、押し部材５の後端がロッキングレバー４の他端４ｂを押圧するので、該ロッキングレバー４はレバーばね４２に抗して図２で右回りに揺動し、ロッキングレバー４の一端４ａが突出したラッチボルト３６における顎部３６ａに後方から対向する位置を占めることになる。
【００３２】
ここに、ラッチボルト３６の操作部材による引込みが阻止されることになり、錠装置は本締りとしての施錠状態となる。
【００３３】
また、錠装置を解錠状態に戻すには、作動部材８をサムターン又はシリンダ錠により前方の解錠位置に進出させればよい。その際、施錠位置を占めていたロッキングレバー４、押し部材５及び第１磁石手段６１は作動部材８の前端部による押動作用により共に図１の解錠位置に復帰する。
【００３４】
なお、この発明に係る錠装置では、外出しようとする時本締りとして施錠する際に、操作部材によって扉１０をわずかに開けた状態でその操作部材から手を離した後、サムターンで作動部材８を後方の施錠位置に後退させ（図３参照）、そこで、扉１０を閉鎖する。
【００３５】
すると、第１及び第２磁石手段６１、６２の磁気反発力が作用して、ラッチボルト３６はロッキングレバー４により突出状態で拘束されることになる（図２参照）。かかる作用は鍵を用いないで施錠が達成される自動施錠に他ならない。
【００３６】
図４はこの発明の第２実施例における第２磁石手段６１及び第２磁石手段６２のみを部分的に表している。他の構成は第１実施例の錠装置と同様である。
【００３７】
第２実施例の錠装置では、対をなす第１磁石手段６１及び第２磁石手段６２が共に１つの永久磁石６１ａ、６２ａと２つのヨーク６１ｂ、６２ｂとでそれぞれの側面形が例えばＵ字状をなすように作られている。
【００３８】
第１磁石手段６１が可動の押し部材５に固定されていることは第１実施例と同様であるが、第２磁石手段６２は扉枠２０側において第１永久磁石６１に対する対向磁極を異磁極に変化させることができるように装着してある。
【００３９】
図４において、符号６３は扉枠２０内に設けたロータリーソレノイド等のアクチュエータを示し、そのアクチュエータ６３は歯車減速機６４を介在させた出力軸６３ａの先端部で第２磁石手段６２を支持している。
【００４０】
この発明の錠装置では、基本的には、本締りとしての施錠時において、作動部材８は施錠位置に後退させてあり、また、対をなす２つの磁石手段６１、６２は同磁極で反発させてあり（図２参照）、施錠位置に揺動させたロッキングレバー４でラッチボルト３６の引込みが阻止できるようにしてある。
【００４１】
第２実施例のものでは、アクチュエータ６３に遠隔位置に存するスイッチで通電させることにより、第２磁石手段６２を水平軸線の回りに１８０°回動させることができる。
【００４２】
この作動により、図４（Ａ）に示すように同磁極で対向させてある第１及び第２磁石手段６１、６２が図４（Ｂ）に示すように異磁極で対向するようになり、両磁石手段６１、６２間の吸着作用により押し部材５がフロント板１１に近づくように変位する。
【００４３】
そして、押し部材５の押し込みにより施錠位置を占めていたロッキングレバー４がレバーばね４２で解錠位置に揺動し（図１参照）、ここに、本締りの状態にあったラッチボルト３６が遠隔的に解錠されることになる。
【００４４】
図示はしないが、第２磁石手段（６２）を電磁石とし、錠本体から離れた位置に設けた切換えスイッチでその電磁石に流れる電流の向きを変えるようにした錠装置も、この発明に係る別の実施例として採用することができる。
【００４５】
その別の実施例によれば、第２磁石手段（６２）としての電磁石に対して流される電流の向きを変えることにより、施錠時において同磁極で対向させてあった第１及び第２磁石手段を異磁極で対向させるようにして、第２実施例の錠装置と同様に遠隔解錠が達成される。
【００４６】
本発明に係る錠装置において、第１及び第２磁石手段６１、６２び近傍の部材は磁力線が遮断され又は分散されるのを防ぐため非磁性材料で製作するものとする。
【００４７】
【発明の効果】
以上に説明したこの発明に係る錠装置は、機構が簡単であるに関わらず、施解錠作動が確実であり、加えて、特定の操作手順を踏めば自動施錠を行うこともでき、使い勝手の向上が図れるなどの効果を奏する。
【図面の簡単な説明】
【図１】この発明の錠装置の第１実施例を解錠状態で示す部分縦断側面図。
【図２】その第１実施例を施錠状態で示す部分縦断側面図。
【図３】同じく第１実施例を扉を開放させた状態で示す部分縦断側面図。
【図４】この発明の錠装置の第２実施例における第１及び第２磁石手段の概要を示す側面から見た説明図で、（Ａ）は施錠状態で示したものであり、（Ｂ）は解錠状態で示したものである。
【符号の説明】
１０  扉
２０  扉枠
１  錠箱
１１  フロント板
３１  リトラクタ
３４  スライダ
３６  ラッチボルト
４  ロッキングレバー
５  押し部材
６１  第１磁石手段
６２  第２磁石手段
７  カム部片
８  作動部材
【図１】
0003870352.tif 000002
【図２】
0003870352.tif 000003
【図３】
0003870352.tif 000004
【図４】
0003870352.tif 000005